(57)【特許請求の範囲】
【請求項１】
折畳まれたり広げられたりしながら伸縮可能に中央部を基準に二つのリンクが互いに交差するように連結されるリンク組立体の端にもう一つのリンク組立体が連結され、その一端がかばんに支持される折畳み手段；及び、
上記折畳み手段の他端に装着され、ユーザーが手で把持するための取っ手手段；を含むことを特徴とする折畳み式取っ手。
【請求項２】
上記取っ手手段は、
所定の位置にスライド孔が貫通された取っ手ハウジング；及び
上記スライド孔に沿ってスライド可能に、上記スライド孔の両端部のうちの少なくとも一端部に装着され、上記折畳み手段の他端が回動可能に連結される固定バー；を含むことを特徴とする請求項１に記載の折畳み式取っ手。
【請求項３】
上記取っ手手段には、上記折畳み手段が任意の長さだけ引出された状態を一時的に維持できるように、上記取っ手ハウジングの中間部に装着されて上記固定バーの動きを一時的に固定させる固定手段がさらに含まれることを特徴とする請求項２に記載の折畳み式取っ手。
【請求項４】
上記固定バーは、上記スライド孔の両端部にそれぞれ装着され、上記取っ手手段の中央を基準に同じ間隔が維持されてスライドすることを特徴とする請求項３に記載の折畳み式取っ手。
【請求項５】
上記固定手段は、
長さ方向に沿って歯が形成され、その一端が上記各固定バーに固定されたラックギア；及び
上記各ラックギアに同時に歯合可能に装着され、回転が制御されるピニオンギア；を含むことを特徴とする請求項４に記載の折畳み式取っ手。
【請求項６】
上記固定手段は、
上記ピニオンギアを回転可能に固定し、一端部には上記ピニオンギアの一側面に少なくとも一つ形成される固定溝に一時的に挿入される固定突起が形成されたピニオン軸；
上記固定突起が上記固定溝に挿入された状態を維持できるように、上記ピニオン軸の一端を支持する弾性部材；及び
上記ピニオン軸を加圧して上記固定突起が上記固定溝から一時的に抜け出るように上記ピニオン軸の他端が固定され、上記取っ手ハウジングの外部に上端部が露出される固定ボタン；を更に含むことを特徴とする請求項５に記載の折畳み式取っ手。
【請求項７】
上記固定手段は、
それぞれの上記固定バーに連結され、上記取っ手ハウジングのスライド孔の内部に引き込まれる内部ハウジング；
上記内部ハウジングの端部に、中心点に向かって突き出、転がり可能に装着されたスライドボール；
上記取っ手ハウジングのスライド孔の中央を基準に両側にそれぞれ装着され、外周面に上記スライドボールを案内するスクリュー溝が上記スライド孔の中央を基準に相互同一方向に形成されたスクリューシャフト；
上記スクリューシャフトを回転可能に支持するベアリング；
上記取っ手ハウジングの内部に回転可能に装着され、上記ベアリングが固定されるカバー；
上記スクリューシャフトの端に、一時的に相互接触可能なようにそれぞれ装着されるブレーキ；
上記ブレーキが相互接触した状態を維持可能なように上記ブレーキを弾持するスプリング；
上記ブレーキの間に一時的に挿入されて、上記ブレーキを所定の間隔だけ離隔させることができるように上記ブレーキの間に装着され、上記ブレーキの間から外れる方向に弾持される離隔ピン；及び
上記取っ手ハウジングが回転すると共に、一時的に上記離隔ピンを上記ブレーキの間に加圧可能なように、上記取っ手ハウジングの内側面の一定部位から突き出る加圧突起；を含むことを特徴とする請求項４に記載の折畳み式取っ手。
【請求項８】
上記取っ手手段は、
中央部が貫通された形状からなり、ユーザーが把持するための取っ手部、及び上記リンク組立体の端が挿入される連結部が備えられた取っ手ハウジング；
上記取っ手ハウジングの連結部に沿って装着される一対のガイドレール；
上記リンク組立体の他端が回動可能に結合され、上記ガイドレールに沿ってそれぞれスライドして、互いに向かい合う面に長さ方向に沿って配列される歯からなるラックギア部が形成された固定バー；
上記各固定バーのラックギア部に同時に噛み合って回転可能に上記各ラックギア部の間に装着され、一側面に少なくとも一つの固定溝が形成されたピニオンギア；
上記ピニオンギアを回転可能に支持し、一端部に上記固定溝に一時的に挿入される固定突起が形成されたピニオン軸；
上記ピニオン軸の他端が固定される支持部と、上記支持部から上記取っ手部まで延びる延長部と、ユーザーが加圧することによって上記固定突起が上記固定溝から一時的に抜け出るように上記延長部から上記取っ手ハウジングの中央部方向に突出し、突出された端が上記取っ手ハウジングの外部に露出される固定ボタンとが備えられた固定部材；及び
上記固定突起が上記固定溝に挿入された状態を維持できるように上記ピニオン軸が突出された方向の反対方向から上記固定部材を支持する弾性部材；を含むことを特徴とする請求項１に記載の折畳み式取っ手。
【請求項９】
上記折畳み手段は、
第１リンク及び第２リンクの中央部を互いに回動可能に固定する回動ピンが装着されて多数の上記リンク組立体をなし、上記第１リンク及び上記第２リンクの端部にもう一つのリンク組立体をなす第1リンク及び第２リンクの端が回動ピンによって回動可能に連結され、上記第１リンク及び第２リンクは、隣合う第１リンク及び第２リンクと移動軌跡が互いに重なるように連結されて、上記収納空間に引込まれる時は隣合う上記リンク組立体の一部が互いに重畳されることを特徴とする請求項１に記載の折畳み式取っ手。
【請求項１０】
上記折畳み手段の一端が支持されて引込み及び引出しされる収納空間が内部に備えられ、かばんの一側に固定される支持手段がさらに含まれることを特徴とする請求項１乃至請求項９のうち何れか一項に記載の折畳み式取っ手。
【請求項１１】
上記支持手段は、上記かばんの外周面の一側に着脱可能に装着されることを特徴とする請求項１０に記載の折畳み式取っ手。
【請求項１２】
上記支持手段は、
上記折畳み手段の引込みが可能なように一側が開口された、上記収納空間が備えられ、上記かばんの外周面に着脱可能に装着されるケース；
上記ケースの開口部に対向する収納空間の底面に少なくとも一つ装着されるガイドレール；及び
上記折畳み手段の一端が回動可能に固定され、上記ガイドレールに沿ってスライドする少なくとも一つのスライド板；を含むことを特徴とする請求項１１に記載の折畳み式取っ手。
【請求項１３】
上記支持手段は、上記ケースの底面に上記ガイドレールが対をなして装着され、上記スライド板が上記ガイドレールにそれぞれ装着されることを特徴とする請求項１２に記載の折畳み式取っ手。
【請求項１４】
上記スライド板の互いに向かい合う面には、長さ方向に沿って配列される歯からなるラックギア部が形成され、上記支持手段は、上記各スライド板のラックギア部の間に位置して同時に噛み合って回転できるようにケースの底面に装着される固定ピニオンギアを更に含むことを特徴とする請求項１３に記載の折畳み式取っ手。
【請求項１５】
上記スライド板には、上記ピニオンギアと上記折畳み手段との接触を防止できるように上記折畳み手段の方向に延びた間隔保持板が装着され、上記間隔保持板の端部に上記折畳み手段の一端が回動可能に装着されることを特徴とする請求項１４に記載の折畳み式取っ手。
【請求項１６】
上記支持手段は、
上記折畳み手段の引込みが可能なように一側が開口された、上記収納空間が備えられ、上記折畳み手段の一端に形成された各リンクの中央部を回動可能に支持する回動ピンが上記収納空間の内部に固定され、上記かばんの外周面に着脱可能に装着されるケース；
上記折畳み手段の一端に形成された各リンクに、一端が回動可能に結合される垂直リンク；及び
それぞれの上記垂直リンクの他端を回動可能に支持し、上記ケースの内側面に上記折畳み手段の移動軌跡と平行をなすように延びる垂直溝に沿ってスライドする垂直ピン；を含むことを特徴とする請求項１１に記載の折畳み式取っ手。
【請求項１７】
上記支持手段は、
上記ケースに取付けられる上記回動ピンを中心点とする弧状をなすように左右一対に陥没されるスライド溝に沿ってスライドし、上記折畳み手段の一端に形成された各リンクの端に装着されるスライドピンをさらに含むことを特徴とする請求項１６に記載の折畳み式取っ手。
【請求項１８】
かばんの一部分に形成され、内部に収納空間が備えられた支持手段；
折畳まれたり広げられたりしながら上記収納空間に引込み及び引出し可能に中央部を基準に二つのリンクが互いに交差するように連結されるリンク組立体の端にもう一つのリンク組立体が連結され、その一端が上記支持手段の内部に支持される折畳み手段；及び
上記折畳み手段の他端に装着され、ユーザーが手で把持するための取っ手手段；を含むことを特徴とする折畳み式取っ手を備えたかばん。
【発明の詳細な説明】
【技術分野】
【０００１】
本発明は、折畳み式取っ手及びこれを備えたかばんに関し、より詳しくは、折畳まれたり広げられたりする折畳み手段の構造的特徴により取っ手が装着される設置空間が縮小でき、長さ調節が多様になされ得るようにする折畳み式取っ手及びこれを備えたかばんに関する。
【背景技術】
【０００２】
一般に、書類や衣服、品物などを収納して運搬するにあたって便利性のためにかばんがよく使用されており、かばんは、使用目的や収納しようとする物の種類によってそのサイズ及び形が多様に構成される。
【０００３】
このような多様なかばんのうち長期間滞留のためには、各種荷物が可能な限りコンパクトでありながらも多量収納できると共に、移動が容易になるように旅行用かばんがよく使われている。
【０００４】
従来の旅行用かばん１は、図１に示されているように、運搬の便利性のために下部に多数のキャスター２が装着され、一側面には取っ手手段３が装着される。
【０００５】
取っ手手段３は、かばん１の内部の一側面に引込み及び引出し可能なように装着され、かばん１の内部には取っ手手段３が引込み可能なように保存空間が備えられた支持手段４が形成される。このとき、取っ手手段３は、多数の管３ａが連結された構造からなっていて伸縮可能であり、支持手段４により段階別に固定状態を維持できるという特徴がある。
【０００６】
かばん１を移動させようとする場合には、取っ手手段３を腰付近まで伸張させて手で把持し、かばん１を地面に対して斜めに傾けた状態でキャスター２を回転させることによって運搬する。
【０００７】
しかし、このような従来のかばん１に装着される取っ手手段３は、図１に示されているように、支持手段４がかばん１内部の一側面の底部から上端部まで延びるように形成されていて設置空間を大きく占めるため、かばん１内部の荷物を収納する空間がその分だけ減少するといった問題点がある。
【０００８】
また、取っ手手段３は、通常２段階乃至３段階に長さ調節が可能な構造からなるため、多様なユーザーの身長に適合するように引出される長さを調節するには限界がある。
【発明の開示】
【発明が解決しようとする課題】
【０００９】
本発明は、上記のような問題点を勘案して案出されたものであり、その目的は、取っ手手段が設けられる設置空間を縮小させることができる折畳み式取っ手及びこれを備えたかばんを提供することにある。
【００１０】
本発明の他の目的は、取っ手手段が引出される長さを多様に調節できるようにして使用の便宜性を高める折畳み式取っ手及びこれを備えたかばんを提供することにある。
【課題を解決するための手段】
【００１１】
上記のような本発明の目的を達成するための折畳み式取っ手及びこれを備えたかばんは、折畳まれたり広げられたりしながら伸縮可能に中央部を基準に二つのリンクが互いに交差するように連結されるリンク組立体の端にもう一つのリンク組立体が連結され、その一端がかばんに支持される折畳み手段；及び、上記折畳み手段の他端に装着され、ユーザーが手で把持するための取っ手手段；を含む構造から構成される。
【００１２】
また、上記取っ手手段は、所定の位置にスライド孔が貫通された取っ手ハウジング；及び、上記スライド孔に沿ってスライド可能に、上記スライド孔の両端部のうちの少なくとも一端部に装着され、上記折畳み手段の他端が回動可能に連結される固定バー；から構成される。
【００１３】
また、上記取っ手手段には、上記折畳み手段が任意の長さだけ引出された状態を一時的に維持できるように、上記取っ手ハウジングの中間部に装着されて上記固定バーの動きを一時的に固定させる固定手段がさらに含まれる。
【発明の効果】
【００１４】
このように本発明による折畳み式取っ手は、折畳み手段が折畳まれたり広げられたりする構造的特徴を有していて、従来の構造に比べてかばんに設けられる設置空間が縮小されることによりかばんにより多くの物を収納できるようになるため、製品の性能が向上するという効果がある。
【００１５】
また、本発明による折畳み式取っ手は、取っ手手段に装着される固定手段により、ユーザーの所望通りに折畳み手段の引出される長さ調節が可能で、どの位置でも引出された状態を一時的に固定させることが可能になるため、使用の便宜性が高まるという効果がある。
【発明を実施するための最良の形態】
【００１６】
以下、添付図面を参照しながら、本発明の望ましい実施例による折畳み式取っ手及びこれを備えたかばんをより詳しく説明する。
【００１７】
図２は本発明の望ましい第１実施例による折畳み式取っ手及びこれを備えたかばんを示した斜視図であり、図３は折畳み式取っ手を示した分解斜視図、図４は折畳み手段が折畳まれて引込まれた状態を示した状態図、図５は折畳み手段が広げられた状態を示した状態図、図６は固定バーがスライドする状態を示した断面図、図７はピニオンギアが固定された状態を示した断面図、図８はピニオンギアの固定が解除された状態を示した断面図、そして、図９は支持手段のスライド板が作動する状態を示した断面図である。
【００１８】
図示されているように、本発明の望ましい第１実施例による折畳み式取っ手及びこれを備えたかばんは、かばん１の一側面の上端部に装着される支持手段１０と、支持手段１０に一端が固定される折畳み手段２０と、折畳み手段２０の他端に装着されて、ユーザーが手で把持するための取っ手手段３０と、折畳み手段２０がユーザーの所望の長さだけ引出された状態を一時的に固定させる固定手段４０とからなる。
【００１９】
折畳み手段２０は、第１リンク２１と第２リンク２２が互いに交差するように中央部を互いに回動可能に固定する回動ピン２３が装着されてリンク組立体２４をなす。第１リンク２１及び第２リンク２２の端部に、もう一つのリンク組立体２４をなす第１リンク２１及び第２リンク２２の端が回動ピン２３により回動可能に固定される。上記のような方法によって多数のリンク組立体２４が連結される。この時、第１リンク２１及び第２リンク２２は、隣合う第１リンク２１及び第２リンク２２とそれぞれの移動軌跡が互いに重なるように連結されて、リンク組立体２４が折畳まれる場合は隣合うリンク組立体２４同士その一部が互いに重なるようになる。
【００２０】
支持手段１０は、かばん１の内部に引き込まれて設置されたり外部に装着されたりでき、着脱可能に装着されるのが望ましい。図示されてはいないが、着脱方法は、ボルトを締結して固定する方式や固定クランプなどを用いる方式など、多様に具現されることができる。
【００２１】
支持手段１０は、折畳み手段２０が収納されるように一側が開口された収納空間１１ａが備えられ、かばん１の外周面の上端部に着脱可能に装着されるケース１１と、ケース１１の開口部１１ｂに対向する収納空間に装着されるガイドレール１２と、ガイドレール１２に形成されたレール１２ａに沿ってスライド可能に装着され、一側面に長さ方向に沿って配列される多数の歯からなるラックギア部１３ａが形成されたスライド板１３とから構成される。
【００２２】
この時、図示されてはいないが、第１リンク２１の端部はスライド板１３に結合されて、そのスライドと同時に回動可能で、第２リンク２２の端部はケース１１の底面部に回動可能なようにヒンジ結合されて、折畳み手段２０が折畳まれたり広げられたりできるように支持する構造から構成されることも可能であるが、図示されているようにガイドレール１２が相互平行に対をなして装着されることが望ましい。
【００２３】
また、図示されているように、支持手段１０は、それぞれのラックギア部１３ａと噛み合えるように各スライド板１３の間に回転可能に装着される固定ピニオンギア１４と、スライド板１３に固定され、折畳み手段２０が位置する方向に延びて、第１リンク２１又は第２リンク２２の端がそれぞれ回動可能にヒンジ結合される間隔保持板１５とをさらに含んで構成される。
【００２４】
取っ手手段３０は、一側にスライド孔３１ａが貫通された取っ手ハウジング３１と、スライド孔３１ａの両端にスライド可能に装着され、取っ手ハウジング３１の外部に露出される端に折畳み手段２０の他端が回動可能に連結される固定バー３２とからなる。即ち、第１リンク２１と第２リンク２２の端が固定バー３２にヒンジ結合されるのである。また、取っ手ハウジング３１と固定バー３２との間には管状のカバー３３がそれぞれ装着され、また、それぞれのカバー３３には他の部品との干渉を回避するために溝３３ａが形成され、各固定バー３２の間には固定手段４０が介在する。
【００２５】
この時、図示されてはいないが、固定バー３２がスライド孔３１ａの両端のうちの一方にだけ装着され、第１リンク２１の端部は固定バー３２に連結されて、そのスライドと同時に回動可能で、第２リンク２２の端部は取っ手ハウジング３１に回動可能なようにヒンジ結合されて、折畳み手段２０が折畳まれたり広げられたりできるように支持する構造から構成されることも可能であるが、図示されているように固定バー３２が対をなすように装着されるのが望ましい。
【００２６】
固定手段４０は、長さ方向に沿って歯が形成され、その一端が固定バー３２に固定された一対のラックギア４１と、各ラックギア４１に同時に歯合可能に各ラックギア４１の間に装着され、一側面に少なくとも一つの固定溝４２ａが形成されたピニオンギア４２と、ピニオンギア４２を回転可能に固定して、その一端部には固定溝４２ａに一時的に挿入可能な固定突起４３ａが形成されたピニオン軸４３と、ピニオン軸４３の一端を弾持する弾性部材４４と、ピニオン軸４３の他端が固定され、取っ手ハウジング３１に形成されるボタンホール３１ｂを通って上端部が外部に露出される固定ボタン４５とからなる。
【００２７】
上記のように構成された本発明の望ましい第１実施例による折畳み式取っ手は、図４及び図５に示されているように折畳み手段２０をなす各リンク組立体２４が互いに折畳まれたり広げられたりしながらケース１１の収納空間１１ａに引込まれたり引出されたりする。
【００２８】
この時、取っ手手段３０及び固定手段４０は、図６乃至図８に示されているように折畳み手段２０が折畳まれると、固定バー３２が取っ手ハウジング３１の外部に突出する方向へ移動する。折畳み手段２０が広げられると、固定バー３２が取っ手ハウジング３１の内部に引込まれる方向へ移動する。
【００２９】
そして、固定バー３２に装着されたそれぞれのラックギア４１が、ピニオンギア４２に同時に噛み合った状態であるため、固定バー３０は取っ手ハウジング３１の中央を基準に同じ間隔を維持しながらスライドする。
【００３０】
図７に示されているように、弾性部材４４によりピニオン軸４３が加圧されて、固定突起４３ａがピニオンギア４２の固定溝４２ａに挿入された状態になれば、固定されたピニオン軸４３によりピニオンギア４２も回転停止状態となり、ピニオンギア４２の回転が停止すれば、ラックギア４１と連結された固定バー３２も停止状態を維持するようになるため、折畳み手段２０の長さが固定された状態を維持するようになる。即ち、折畳み手段２０が一定の長さだけ広げられた状態ならば、その長さ状態を維持するようになるのである。
【００３１】
図８に示されているように、ユーザーが固定ボタン４５を加圧すると、弾性部材４４が変形しながらピニオン軸４３が移動し、固定溝４２ａから固定突起４３ａが抜け出てピニオンギア４２が回転可能な状態に切り換わる。ピニオンギア４２の回転が可能になれば、ピニオンギア４２に噛み合ったラックギア４１に連結された固定バー３２が移動可能になるため、折畳み手段２０を折畳んだり広げたりできるようになる。即ち、固定状態が解除されて折畳み手段２０の広げられる長さの調節が可能になるのである。固定ボタン４５を加圧していた力を抜けば、弾性部材４４の弾性力によりピニオン軸４３が元通りに戻って図７に示されているように固定状態に切り換わる。
【００３２】
図９に示されているように、折畳み手段２０の折畳まれたり広げられたりする動作に伴って、スライド板１３が固定ピニオンギア１４に噛み合った状態で互いに連動するため、中央部を中心に同じ間隔を維持してそれぞれのスライド板１３が移動するのである。間隔保持板１５は、折畳み手段２０が固定ピニオンギア１４に接触するのを防止する。
【００３３】
同様に、本発明の望ましい第２実施例による折畳み式取っ手及びこれを備えたかばんは、図１０乃至図１２に示されているように、中央部が貫通された形状からなり、ユーザーが手で把持するための取っ手部１３１ａ、及び折畳み手段２０の他端が挿入される連結部１３１ｂが備えられた取っ手ハウジング１３１と、連結部１３１ｂの内側面の両側に沿って互いに平行に装着される一対のガイドレール１３２と、折畳み手段２０をなす第１リンク２１及び第２リンク２２の端が回動可能にヒンジ結合され、ガイドレール１３２に形成されたレール１３２ａに沿ってそれぞれスライドして、互いに向かい合う面に長さ方向に沿って配列される多数の歯からなるラックギア部１３３ａが形成された固定バー１３３と、各ラックギア部１３３ａの間に装着されて、それぞれのラックギア部１３３ａに同時に噛み合い、一側面に所定の深さで陥没される固定溝１３４ａが少なくとも一つ形成されたピニオンギア１３４と、ピニオンギア１３４を回転可能に支持して、一端部に固定溝１３４ａに挿入される固定突起１３５ａが形成されたピニオン軸１３５と、ピニオン軸１３５が固定される固定部材１３６と、固定部材１３６を弾持する弾性部材１３７とからなる。
【００３４】
固定部材１３６は、連結部１３１ｂ側に位置し、ピニオン軸１３５が固定される支持部１３６ａと、支持部１３６ａから取っ手部１３１ａまで延びる延長部１３６ｂと、延長部１３６ｂから突出して、取っ手ハウジング１３１の取っ手部１３１ａの内側に形成されたボタンホール１３１ｃを通って突出された端部が露出する固定ボタン１３６ｃとからなる。弾性部材１３７は、その一側が支持部１３６ａに接触され、他側が取っ手ハウジング１３１の内側面に支持される。即ち、支持部１３６ａの上下面のうち、ピニオン軸１３５が装着された下面の反対である上面を弾性部材が支持するのである。
【００３５】
その他、取っ手部材１３０が装着される折畳み手段２０と支持手段１０の構成及び作動は、本発明の望ましい第１実施例と同様である。
【００３６】
上記のように構成された折畳み式取っ手は、図１１に示されているように、弾性部材１３７により固定部材１３６が加圧されて、ピニオン軸１３５に形成された固定突起１３５ａがピニオンギア１３４に形成された固定溝１３４ａに挿入された状態になると、固定されたピニオン軸１３５によりピニオンギア１３４も回転停止状態になり、ピニオンギア１３４の回転が停止すると、ラックギア部１３３ａが形成された固定バー１３３も停止状態を維持するようになるため、折畳み手段２０が固定された状態を維持するようになる。即ち、折畳み手段２０が一定の長さだけ広げられた状態であれば、その長さ状態を維持するようになるのである。
【００３７】
図１２に示されているように、ユーザーが固定ボタン１３６ｃを加圧すると、弾性部材１３７が圧縮されながらピニオン軸１３５が移動し、固定溝１３４ａから固定突起１３５ａが抜け出てピニオンギア１３４が回転可能な状態に切り換わる。ピニオンギア１３４の回転が可能になれば、ピニオンギア１３４に噛み合ったラックギア部１３３ａが形成された固定バー１３３が移動可能になるため、折畳み手段２０を折り畳んだり広げたりできるようになる。即ち、固定が解除されて折畳み手段２０の広げられる長さの調節が可能になるのである。固定ボタン１３６ｃを加圧していた力を抜けば、弾性部材１３７の弾性力によりピニオン軸１３５が戻って図１１に示されているように固定状態に切り換わる。
【００３８】
同様に、本発明の望ましい第３実施例による折畳み式取っ手及びこれを備えたかばんは、図１３乃至図１５に示されているように構成される。
【００３９】
同様に、本発明の望ましい第３実施例による折畳み式取っ手及びこれを備えたかばんは、図１３乃至図１５に示されているように構成される。
【００４０】
支持手段２１０は、かばん１の内部に引き込まれて設置されたり外部に装着されたりでき、着脱可能に装着されるのが望ましい。図示されてはいないが、着脱方法は、ボルトを締結して固定する方式や固定クランプなどを用いる方式など、多様に具現されることができる。
【００４１】
また、支持手段２１０は、折畳み手段２０が収納されるように一側が開口された収納空間２１１ａが備えられ、かばん１の外周面の上端部に着脱可能に装着されるケース２１１と、折畳み手段２０の一端に形成された第１リンク２１及び第２リンク２２に、一端が回動可能にヒンジ結合されるそれぞれの垂直リンク２１２と、各垂直リンク２１２の他端を相互連結し、回動可能に支持する垂直ピン２１３と、折畳み手段２０の一端に形成された第１リンク２１及び第２リンク２２の端部に装着されるスライドピン２１４とから構成される。
【００４２】
ケース２１１の収納空間２１１ａの内側面には、第１リンク２１及び第２リンク２２の中央部に装着される回動ピン２３の両端が固定される固定溝２１５が形成され、固定溝２１５の下端部に所定の深さで陥没され、折畳み手段２０の移動軌跡と平行をなすように延びて、垂直ピン２１３がスライド可能に挿入される垂直溝２１６が形成され、スライドピン２１４がスライド可能に嵌められることができるように、左右一対に所定の深さだけ陥没され、固定溝２１５を中心点とする弧状をなすように延びるスライド溝２１７が形成される。
【００４３】
その他の支持手段２１０に装着される折畳み手段２０及び取っ手手段３０、１３０の構成及び作動は、本発明の望ましい第１実施例又は第２実施例と同一である。
【００４４】
上記のように構成された支持手段２１０は、図１４及び図１５に示されているように、折畳み手段２０が折畳まれたり広げられたりする動作に伴って垂直リンク２１２が回動され、垂直リンク２１２の回動に伴って垂直リンク２１２が垂直溝２１６に沿ってスライドする。垂直リンク２１２は、垂直溝２１６によってその移動が折畳み手段２０の移動軌跡と平行をなすように制限されるため、折畳み手段２０が引込み及び引出しされる場合に移動経路から外れないようになる。即ち、垂直ピン２１３は、その動きが垂直溝２１６によって制限されるため、折畳み手段２０が引出された状態においてケース２１１に固定された回動ピン２３を基準として左右に回動されないようになるのである。
【００４５】
同様に、本発明の望ましい第４実施例による折畳み式取っ手を構成する取っ手手段３３０は、図１６乃至図１８に示されているように、ユーザーが手で把持し、一側にスライド孔３３１ａが貫通された取っ手ハウジング３３１と、スライド孔３３１ａの両端にスライド可能に装着される内部ハウジング３３２と、内部ハウジング３３２の外部側の端に連結され、延びた端に折畳み手段２０の他端が回動可能に連結される固定バー３３３とからなる。即ち、第１リンク２１と第２リンク２２の端が固定バー３３３にヒンジ結合されるのである。また、それぞれの固定バー３３３の中間部には固定手段３４０が介在する。
【００４６】
固定手段３４０は、それぞれの内部ハウジング３３２の端部に装着されるボールハウジング３４１と、ボールハウジング３４１に転がり可能に装着され、内部ハウジング３３２の中心に向かって突き出るスライドボール３４１ａと、スライド孔３３１ａの中央を基準に両側に装着され、外周面にはスライド孔３３１ａの中央を基準に相互同一方向を有するスクリュー形状のスクリュー溝３４２ａが形成されたスクリューシャフト３４２と、スクリューシャフト３４２を回転可能に支持するベアリング３４３と、内部ハウジング３３２が挿入され、取っ手ハウジング３３１の内部に回転可能に装着され、ベアリング３４３が固定されるカバー３４４と、それぞれのスクリューシャフト３４２の端に装着され、一時的に互いに接触可能で、各接触面３４５ａに多数の摩擦突起が備えられたブレーキ３４５と、それぞれのブレーキ３４５とベアリング３４３との間に装着され、ブレーキ３４５を互いに接触する方向に加圧するスプリング３４６と、ブレーキ３４５の間に突き出た端が一時的に挿入されて、接触していたブレーキ３４５を分離させることができるようにピンハウジング３４７に移動可能に支持され、ブレーキ３４５が装着された位置とは反対方向に弾持される少なくとも１つの離隔ピン３４８と、取っ手ハウジング３３１の内側面の一定部位から所定の高さで突き出、一時的に離隔ピン３４８をブレーキ３４５の方向へ加圧する加圧突起３３１ｂとからなる。
【００４７】
また、スライドボール３４１ａは、スクリューシャフト３４２を基準に等間隔で多数配列されるのが望ましく、スライドボール３４１ａの個数と同一の個数だけスクリューシャフト３４２にスクリュー溝３４２ａが形成される。離隔ピン３４８は、互いに対称をなすように１８０度間隔をおいて形成されるのが望ましく、離隔ピン３４８の位置に合わせて加圧突起３３１ｂも二箇所に形成される。また、離隔ピン３４８とピンハウジング３４７とが接触する間には圧縮スプリングが装着され、離隔ピン３４８を弾持するのが望ましい。
【００４８】
上記のように構成された本発明の望ましい第４実施例による折畳み式取っ手は、図１７及び図１８に示されているように、折畳み手段２０が折畳まれると、固定バー３３３が取っ手ハウジング３３１の外部に引き出される方向へ移動する。折畳み手段２０が長く広げられると、固定バー３３３が取っ手ハウジング３３１の内部に引込まれる方向へ移動する。
【００４９】
また、第１リンク２１及び第２リンク２２が中央部に形成された回動ピン２３を基準に折畳まれたり広げられたりするため、取っ手ハウジング３３１の両側に形成された固定バー３３３が取っ手ハウジング３３１の中央を基準に同一間隔を維持しながらスライドし、固定バー３３３に連結されたスライドボール３４１ａが左右方向に移動するにつれて、スクリュー溝３４２ａの形成されたそれぞれのスクリューシャフト３４２が同時に回転するようになるのである。
【００５０】
折畳み手段２０を広げようとする場合は、図１７に示されているように、取っ手ハウジング３３１を回転させると加圧突起３３１ｂが離隔ピン３４８を加圧するようになり、離隔ピン３４８の突出部がブレーキ３４５の間に挟まれて、互いに接触していた接触面３４５ａが分離しながら、それぞれのブレーキ３４５が回転可能な状態に切り換わる。
【００５１】
上記のようにブレーキ３４５が互いに分離されて回転可能な状態になると、スクリューシャフト３４２が回転可能な状態になって、スクリュー溝３４２ａに挟まれて固定されていたスライドボール３４１ａが、回転するスクリュー溝３４２ａに沿って転がりながら移動できるようになるため、折畳み手段２０を広げたり折畳んだりできるようになる。即ち、密着していたブレーキ３４５が離隔ピン３４８によって分離されてそれぞれの回転が可能になると、固定状態が解除されて、折畳み手段２０の長さ調整が可能になるのである。
【００５２】
折畳み手段２０を一定の長さに広げた状態で固定させようとする場合は、図１８に示されているように、折畳み手段２０を一定の長さに広げた状態で取っ手ハウジング３３１を反対方向に回転させると、離隔ピン３４８を加圧していた加圧突起３３１ｂが除去され、弾性力によって離隔ピン３４８が元の状態に戻りながらブレーキ３４５の間から外れる。離隔ピン３４８が外れると、それぞれのブレーキ３４５の接触面３４５ａはスプリング３４６の弾性力によって互いに接触しながら摩擦突起がかみ合って回転が拘束され、それぞれのスクリューシャフト３４２が一体化されながら個別的回転が不可能な状態になる。上記のように、スクリューシャフト３４２の個別的回転が不可能になると、スクリュー溝３４２ａにかみ合ったスライドボール３４１ａの移動が制限されて固定バー３３３が固定された状態になり、それによって折畳み手段２０が固定された状態を維持するようになる。即ち、固定バー３３３が外部に引き出されるためには、接触面３４５ａを基準に両側のスクリューシャフト３４２が反時計回りに回転されなければならず、固定バー３３３が内部に引き込まれるためには、接触面３４５ａを基準に両側のスクリューシャフト３４２が時計回りに回転されなければならないため、ブレーキ３４５が互いに密着して個別的回転が不可能になれば、両側のスクリューシャフト３４２の回転力が相殺されて、折畳み手段２０が一定の長さに広げられた状態を維持するようになるのである。
【００５３】
本発明は、上述した特定の望ましい実施例に限定されるものではなく、特許請求範囲に記載された本発明の要旨を逸脱しない範囲内で、本発明の属する技術分野における通常の知識を有する者ならば誰でも多様な変形実施が可能であるのはもちろんのこと、そのような変更は特許請求範囲の範囲内にある。
【図面の簡単な説明】
【００５４】
【図１】従来の構造の取っ手を示した断面図である。
【図２】本発明の望ましい第１実施例による折畳み式取っ手を示した斜視図である。
【図３】折畳み式取っ手を示した分解斜視図である。
【図４】折畳み手段が折畳まれて引込まれた状態を示した状態図である。
【図５】折畳み手段が広げられた状態を示した状態図である。
【図６】固定バーがスライドする状態を示した断面図である。
【図７】ピニオンギアが固定された状態を示した断面図である。
【図８】ピニオンギアの固定が解除された状態を示した断面図である。
【図９】支持手段のスライド板が作動する状態を示した断面図である。
【図１０】本発明の望ましい第２実施例による折畳み式取っ手を示した斜視図である。
【図１１】図１０に示されたピニオンギアが固定された状態を示した断面図である。
【図１２】図１０に示されたピニオンギアの固定が解除された状態を示した断面図である。
【図１３】本発明の望ましい第３実施例による折畳み式取っ手を示した斜視図である。
【図１４】図１３に示された折畳み手段が折畳まれて引込まれた状態を示した状態図である。
【図１５】図１３に示された折畳み手段が広げられた状態を示した状態図である。
【図１６】本発明の望ましい第４実施例による折畳み式取っ手を示した斜視図である。
【図１７】図１６に示された折畳み手段が折畳まれた状態を示した状態図である。
【図１８】図１６に示された折畳み手段が広げられた状態を示した状態図である。
【符号の説明】
【００５５】
１０  支持手段
１４  リンク組立体
２０  折畳み手段
２１  第１リンク
２２  第２リンク
３０、１３０  取っ手手段
４０  固定手段
【図１】
0004686576.tif 000002
【図２】
0004686576.tif 000003
【図３】
0004686576.tif 000004
【図４】
0004686576.tif 000005
【図５】
0004686576.tif 000006
【図６】
0004686576.tif 000007
【図７】
0004686576.tif 000008
【図８】
0004686576.tif 000009
【図９】
0004686576.tif 000010
【図１０】
0004686576.tif 000011
【図１１】
0004686576.tif 000012
【図１２】
0004686576.tif 000013
【図１３】
0004686576.tif 000014
【図１４】
0004686576.tif 000015
【図１５】
0004686576.tif 000016
【図１６】
0004686576.tif 000017
【図１７】
0004686576.tif 000018
【図１８】
0004686576.tif 000019